(57)【要約】【課題】一度に多くの収納箱を安全に運搬することができる取っ手構造を備えた紙葉類収納箱及び紙葉類取扱装置を提供することを課題とする。【解決手段】箱体の外面一側に備えられた紙葉類の収納繰出口と、収納繰出機構と、前記箱体の外面に起立傾倒自在に軸支される取っ手とを備えた紙葉類収納箱であって、前記取っ手の回動方向を、前記箱体の前記外面一側と前記外面他側との対向方向に設定し、前記取っ手の回動支持部を、前記箱体の前記外面中央より前記外面一側寄りに設け、前記取っ手の回動範囲を、取っ手の把持部が前記外面の他側に傾倒した傾倒位置から、前記把持部が、前記回動支持部を回動支点に起立した起立位置を越えて前記外面の一側に向かって回動し、該回動した把持部が少なくとも前記外面一側の周部上に至る傾斜位置までを含む構成とした紙葉類収納箱を構成する。【選択図】図６
2010211340.tif 000002
【特許請求の範囲】
【請求項１】
箱体の内部空間に紙葉類を厚さ方向に積層して収納する収納部と、前記箱体の外面一側に備えられた紙葉類の収納繰出口と、前記箱体に内蔵されて前記収納繰出口より紙葉類を収納または繰出す収納繰出機構と、前記箱体の外面に起立傾倒自在に回動支持される取っ手とを備えた紙葉類収納箱であって、
前記取っ手の回動方向を、前記箱体の前記外面一側と前記外面他側との対向方向に設定し、
前記取っ手の回動支持部を、前記箱体の前記外面中央より前記外面一側の収納繰出口寄りに設け、
前記取っ手の回動範囲を、取っ手の把持部が前記外面の他側に傾倒した傾倒位置から、前記把持部が、前記回動支持部を回動支点に起立した起立位置を越えて前記外面の一側に向かって回動し、該回動した把持部が少なくとも前記外面一側の周部上に至る傾斜位置までを含む構成とした
紙葉類収納箱。
【請求項２】
前記把持部を前記外面の一側へと回動させたとき、前記把持部を特定の傾斜角度に位置決めする位置決め手段を備えた
請求項１に記載の紙葉類収納箱。
【請求項３】
前記箱体の外面に傾倒した傾倒姿勢の取っ手を、前記箱体の外周囲より内方の実装面内に収納させて構成した
請求項１または２に記載の紙葉類収納箱。
【請求項４】
前記取っ手の回動範囲を、前記箱体を複数並列配置して一方の箱体から取っ手を回動させた場合に、該取っ手の把持部が前記外面一側の周部上よりも外方となる他方の箱体の領域まで回動する構成とした
請求項１、２または３に記載の紙葉類収納箱。
【請求項５】
前記箱体は、外面の一側に、前記取っ手の把持部を外面一側に向けて回動させた位置で回動規制する回動規制手段を備え、
該回動規制手段は、前記箱体の外面一側同士が互いに対向するように対接面を中心に両側の箱体の向きを対称形に並列配置した状態で前記取っ手を両側より対向させたとき、前記両箱体の取っ手の把持部が、前記回動規制手段により回動規制された傾斜角度で対向する構成とした
請求項１〜４の何れか１項に記載の紙葉類収納箱
【請求項６】
並列配置された両箱体の取っ手の把持部を内向きに対向させたとき、両側の把持部の回動軌跡が当接する位置で、前記把持部が平面対接する構成とした
請求項１〜５の何れか１項に記載の紙葉類収納箱。
【請求項７】
請求項１〜６の何れか１項に記載の紙葉類収納箱と、
取引内容を入力操作させる操作部と、
投入された紙葉類を受入処理させる受入部と、
繰出される紙葉類を放出処理させる放出部と、
紙葉類の真偽及び種別を識別する識別部と、
取引動作を実行させる制御部とを備えた
紙葉類取扱装置。
【請求項８】
前記紙葉類収納箱の複数を並列して収納する収納庫に前記紙葉類収納箱間を仕切る仕切板を備え、
前記仕切板を、前記収納庫に収納される前記紙葉類収納箱の収納方向長さより短く形成して前記紙葉類収納箱の収納方向奥側となる前記収納庫の箱仕切位置に設置し、
前記箱仕切位置での前記仕切板が介在しない前記紙葉類収納箱の収納方向前部側の対向面を、少なくとも仕切対向間隔を狭める方向に突出させて構成した
請求項７に記載の紙葉類取扱装置。
【発明の詳細な説明】
【技術分野】
【０００１】
この発明は、紙幣や小切手等の紙葉類を取扱う紙葉類取扱装置に内部構成される紙葉類収納箱に関する。
【背景技術】
【０００２】
紙葉類の一例として紙幣を取扱う紙幣入出金機を例にとって説明する。  
従来から金融機関等において使用される紙幣入出金機には、各種の紙幣収納箱（以降、単に収納箱と略す）が実装されている。具体的には、入金紙幣を収納する収納箱（入金庫）、出金用の紙幣を収納する収納箱（出金庫）、入出金兼用の紙幣を収納する収納箱（リサイクル庫）、入金庫やリサイクル庫に収納しない入金紙幣や出金庫から繰出された紙幣のうち出金しない紙幣を収納する収納箱（リジェクト庫）、リサイクル庫に補充する紙幣を繰出しリサイクル庫から回収する紙幣を収納する収納箱（装填回収庫）などがある。
【０００３】
紙幣入出金機は、入金時に入金された紙幣を複数の収納箱に金種別に分けて収納し、出金時にはこれらの収納箱から必要な金種の紙幣を繰出して出金する入出金処理構造を有している。前記紙幣入出金機を運用して一日の業務が終了すると、金融機関等は該紙幣入出金機の機内に存在している紙幣をすべて収納箱に回収し、その回収した収納箱を係員が紙幣入出金機から取出して出納室や現金処理センタに運搬して保管している。また、始業時に係員は、収納箱を持ち運んで紙幣入出金機に収納操作している。このように取扱われる収納箱には係員が収納箱を持ち運ぶための取っ手が設けられている。
【０００４】
この種の取っ手の一例として、収納箱(カセット)の両側面に取っ手の回動支持部を持ち、該回動支持部を支点に取っ手を起立傾倒自在に軸支したものが提案されている（例えば特許文献１参照）。このほかにも収納箱（紙幣カセット）の上面中央に、取っ手を固定して設置したものが提案されている（例えば特許文献２参照）。なお、括弧内は特許文献に記載された名称を示す。
【０００５】
ところが、収納箱の上面に取っ手が固定されていると、該取っ手が収納箱と一体化して回動しないため、片手で１個の収納箱しか把持することができなかった。特に、紙幣入出金機には、通常３〜５個の収納箱が実装されており、これらの収納箱を紙幣入出金機からすべて持ち運ぶには、係員が何度も往復しなければならなかった。
【０００６】
また、収納箱の持ち運び時に、係員が収納箱を脇に抱えたり、複数の収納箱を山積みにして無理に収納箱を運ぼうとした場合、収納箱を落下させてしまうおそれがあった。前記収納箱をぶつけたり、落下させるなどして、収納箱に強い衝撃が加わった場合、内部機構が変形したり破損したりするおそれがある。該収納箱の外観上から内部機構の変形や破損が分からなければ、収納箱をそのまま紙幣入出金機に実装してしまい、その後の紙幣入出金機の動作が不具合になって、入出金取引が中断してしまう問題があった。
【０００７】
さらに、別の取っ手構造として箱上部の一側角部に、箱上面の背面側に、取っ手の回動支持部を備えた収納箱がある。該収納箱は持ち運びに際して、２個の収納箱を背面合わせすると、２個の収納箱の中央に両側の取っ手が揃うので、片手で２個の収納箱を一括して把持することができ、収納箱を効率よく持ち運びできるようにした収納箱が知られている（例えば特許文献３参照）。
【０００８】
しかし、取っ手の回動支持部が収納箱上部の背面側角部にあるため、係員が取っ手を掴んで１個の収納箱を運搬しようとする場合、持ち上げられた収納箱の上面が正面側に傾き、収納箱は菱形状に傾いて吊り下げられ、収納箱を単独に運搬する場合には不安定な運搬となる。そして、この傾きが生じると、収納箱の内部に積層されている紙幣の集積姿勢が崩れやすくなる。例えば、内部に積層されている水平状態の一部の紙幣が垂直状態になって紙幣繰出時に動作不良を発生させる原因になってしまう。
【先行技術文献】
【特許文献】
【０００９】
【特許文献１】特開平８−２６３７１９号公報
【特許文献２】特開２００３−２０３２６３号公報
【特許文献３】特開平７−３２９９７６号公報
【発明の概要】
【発明が解決しようとする課題】
【００１０】
そこでこの発明は、係員が片手で２個の収納箱を持ち運ぶ際に、収納箱が傾かないようにすることができる紙葉類収納箱及び紙葉類取扱装置を提供することを課題とする。
【課題を解決するための手段】
【００１１】
この発明は、箱体の内部空間に紙葉類を厚さ方向に積層して収納する収納部と、前記箱体の外面一側に備えられた紙葉類の収納繰出口と、前記箱体に内蔵されて前記収納繰出口より紙葉類を収納または繰出す収納繰出機構と、前記箱体の外面に起立傾倒自在に回動支持される取っ手とを備えた紙葉類収納箱であって、前記取っ手の回動方向を、前記箱体の前記外面一側と前記外面他側との対向方向に設定し、前記取っ手の回動支持部を、前記箱体の前記外面中央より前記外面一側の収納繰出口寄りに設け、前記取っ手の回動範囲を、取っ手の把持部が前記外面の他側に傾倒した傾倒位置から、前記把持部が、前記回動支持部を回動支点に起立した起立位置を越えて前記外面の一側に向かって回動し、該回動した把持部が少なくとも前記外面一側の周部上に至る傾斜位置までを含む構成とした紙葉類収納箱であることを特徴とする。
【発明の効果】
【００１２】
この発明によれば、取っ手の回動軸支部を外面の中央より一側に寄って取り付けているため、取っ手が箱体の外面一側に向けて回動したとき、該取っ手の把持部を外面一側まで、あるいはそれ以上に外方へと長く突出させることができる。このため、取っ手の長さを十分に長くとることができる。したがって、２個の箱体を並列させた場合、両側より対向させた取っ手の把持部が山形ブリッジ状の突き合わせ状態となり、この山形ブリッジ状となった突き合わせ部分を係員が片手で一括して容易に把持することができ、片手で箱体を安定して持ち運ぶことができる。よって、係員は両手で左右に箱体を２個ずつ最大４個まで一括して持ち運ぶことができる。
【図面の簡単な説明】
【００１３】
【図１】紙幣入出金機の内部構成図。
【図２】紙幣入出金機からの収納箱の引出状態を示す内部構成図。
【図３】収納箱の外観斜視図。
【図４】収納箱の概略側面図。
【図５】取っ手の傾倒状態の各例を示した収納箱の平面図。
【図６】両側の取っ手を片手で一括して把持可能な状態を示す概略側面図。
【図７】並列する収納箱の仕切状態を示す要部側面図。
【図８】収納箱の背面重ね合わせ状態を示す側面図。
【図９】並列面間の位置合せ部を備えた収納箱の外観斜視図。
【図１０】薄型取っ手の一例を示す要部側面図。
【図１１】取っ手の取付面が異なる一例を示す収納箱の斜視図。
【発明を実施するための形態】
【００１４】
以下、この発明の実施の形態を図面に基づいて説明する。図面は紙幣入出金機に用いられる紙幣収納箱を示し、該紙幣収納箱の持ち運び効率を高めた実施形態を示す。
【実施例】
【００１５】
図１はこの発明の一実施例を示す紙葉類取扱装置の一例である紙幣入出金機２１の内部構造を表わしている。この紙幣入出金機２１は、利用者が紙幣の受入部または放出部として紙幣の投入と取り出しを行う入出金口２４と、紙幣の真偽及び金種を識別する識別部２５と、入金した紙幣を取引成立までの間一時保管する一時保管庫２６と、機内の上部側で紙幣を搬送する上部紙幣搬送路Ｌ１を備えた上部搬送機構２２と、紙幣を収納する複数の紙葉類収納箱としての紙幣収納箱(以下、収納箱と称す)１と、前記収納箱１を横方向に一列に並べて載置する収納庫としての引出ユニット１４と、機内の下部側で紙幣を搬送する下部紙幣搬送路Ｌ２を備えた下部紙幣機構２３と、紙幣入出金機２１の取引動作を制御する図示しない制御部とから構成される。
【００１６】
図２は紙幣入出金機２１から引き出される引出ユニット１４とともに引き出される収納箱１の引き出し状態を示している。引出ユニット１４は、上面を開放した箱形状を有し、図示しない下面の引出レールに沿って横方向にスライド自在に支持されている。そして、上面開放部から収納箱１が各区画された箱収納部に対し着脱自在に収納される。よって、紙幣入出金機２１から引出ユニット１４が引き出されると、該引出ユニット１４に並列して載置されている各収納箱１も一括して引き出される。この引出ユニット１４内では、各収納箱１が幅狭方向に並列配置されている。
【００１７】
図３（ａ）は正面側から見た収納箱１の外観斜視図、図３（ｂ）は背面側から見た収納箱１の外観斜視図、図４は収納箱１に積層された紙幣５の積層状態を示す内部構成図である。  
前記収納箱１は、平面視長方形状の縦長の中空箱体である。該収納箱１の外周囲のうち、箱体の外面他側として幅広面となる前面を箱正面１０とし、その両側の幅狭面を箱側面１１とし、箱体の外面一側として幅広面となる後面を箱背面１２とし、箱体の外面としての上面を箱上面１３としている。
【００１８】
箱正面１０には、図３（ａ）に矢印２ａで示すように、片開き式に開閉する扉２を備えている。この扉２は収納箱内部への紙幣５の装填操作、または取出し操作時に開閉される。箱上面１３には、図３（ａ）及び図４にも示すように、収納繰出口３と、取っ手６と、コ型凹部７と、傾斜係止面１３ａを備えている。
【００１９】
前記収納繰出口３は、箱上面１３の背面側に沿って細長く開口して設け、紙幣５を１枚ずつ収納または繰出す兼用口として設けられている。この収納繰出口３と対応する収納箱１の内部には、図４に示すように、収納繰出機構４が内蔵されている。
【００２０】
該収納繰出機構４は、複数の搬送ローラ４ａや搬送ガイド部材４ｂにより構成され、収納繰出口３より紙幣５を収納または繰出すのに近い上方の収納繰出口３寄りに設けられている。ことに、該収納繰出機構４は、硬貨のような重量のある媒体とは異なり、薄くて軽い紙幣を破損しないように１枚ずつ確実に収納または繰出す搬送構造を要することから重量があり、この重い収納繰出機構４は収納箱１内で収納繰出口３側寄りに配置されて、収納箱１の重心が前記収納繰出口３側寄りに変位している。また、収納箱１の内部には多数枚の紙幣５を厚さ方向（上下方向）に積層する収納空間としての収納部８が設けられている。
【００２１】
前記取っ手６は、係員が持ち運ぶのに適したコの字形状を有して、取っ手取付用の外面として設けられる箱上面１３に起立傾倒自在に取り付けられている。この取っ手６の回動方向は、箱上面１３における箱正面１０側と箱背面１２側とが対向する対向方向に設定され、この方向に取っ手６が起立傾倒される。
【００２２】
さらに、取っ手６の回動支持部６ａの位置を、箱上面１３の中央より収納繰出口３側寄りにずらせた位置に設定し、この位置で取っ手６のコ型両片に該当する両側の回動アームＨの端部を箱上面１３に回動自由に軸支している。この回動支持部６ａにおける回動支持構造は、取っ手６のコ型両片と箱上面１３とが対向する支持位置の例えば取っ手６側に軸体を設け、これと対応する箱上面１３側に軸孔を設けて軸支することにより、箱上面１３上まで取っ手６を正転方向または逆転方向に回動自由に軸支する。
【００２３】
また、回動支持部６ａは、箱上面１３の中央より収納繰出口３側寄りにずらせた位置に設定して、前記した収納繰出機構４が重いことに基づいて変位した収納箱１の重心Ｇ（図５参照）と対応する位置で該収納箱１を支持するように設けている。
【００２４】
さらに、取っ手６は回動範囲を、回動始端部となる傾倒位置（０度）Ａから回動中間部となる起立位置（９０度）Ｂを経由して回動終端部となる傾斜位置（例えば１３５度）Ｃに至るまでの間としている。
【００２５】
前記取っ手６の両側の回動アームＨは、図５（ａ）に示すように、収納箱１の平面視短辺方向に回動可能に軸支されている。さらに、該回動アームＨの長さＨ１は回動支持部６ａから箱正面１０までの一方の短辺長さと同じ長さを有している。そして、回動支持部６ａから箱背面１２までの他方の短辺長さＨ２よりも該回動アームＨの長さＨ１が長くなるように配置した位置関係にある。
【００２６】
よって、回動アームＨの長さＨ１が一方の短辺長さと同じ長さであるため、回動アームＨが箱正面１０側に回動しても箱上面１３の実装面上に留まり、取っ手６の最も外側に位置する把持部６ｂが箱正面１０側の外方に突出することはない（図５a〜図５ｄの各傾倒位置Ａ参照）。また、回動アームＨが箱背面１２側に回動すると、回動アームＨの長さＨ１が他方の短辺長さＨ２より長いため、取っ手６の最も外側に位置する把持部６ｂが箱背面１２側の上方位置で持ち手用空間Ｆ（図６参照）を確保でき、さらに箱背面１２より外方に突出することが可能になる。
【００２７】
前記把持部６ｂは、コ型両片の前記回動アームＨ間をつなぐ直棒部分に該当し、この部分が係員により把持される。また、把持部６ｂはどの回動位置にあっても箱上面１３と常に平行となる位置関係にある。
【００２８】
前記傾倒位置Ａとは、該取っ手６の把持部６ｂが回動支持部６ａを回動支点に回動し、箱上面１３における箱正面１０側に傾倒して水平状態に至った位置である。  
起立位置Ｂとは、把持部６ｂが回動支持部６ａを回動支点に垂直に起立した位置である。  
傾斜位置Ｃとは、前記起立位置Ｂを越えて箱背面１２側に向かって回動し、該回動した把持部６ｂが、箱上面１３の箱背面１２側の周部上を越えて外方へ傾斜突出した位置である。
【００２９】
前記傾倒位置Ａにおいて、傾倒姿勢の取っ手６と対応する箱上面１３にはコ型凹部７（図３参照）を形成している。このコ型凹部７は箱上面１３の周部に沿う箱正面１０とその両側の箱側面１１とをコ型形状の凹部に切欠いて設けている。このコ型凹部７の凹部空間に対して同コ型形状の取っ手６が傾倒時にコ型凹部７に格納されるように水平に傾倒する。
【００３０】
この場合、取っ手６の周部は、図５（ａ）に示すように、コ型両片間の把持部６ｂ長さＷとコ型両片の回動アームＨ長さＨ１とが、箱上面１３の周部に沿う大きさであり、箱上面１３の周部より外側にはみ出さないように形成されている。また、取っ手６のコ型部分だけでなく取っ手６や回動支持部６ａも箱上面１３の実装面内の領域に、はみ出さないように形成している。したがって、収納箱１を運搬する時や収納箱１を紙幣入出金機２１に着脱する際に、取っ手６が障害物と接触することを回避することができる。
【００３１】
前記取っ手６は、図５（ｂ）〜（ｄ）にも示すように、各種のコ型形状の形成例が考えられる。図５（ｂ）は取っ手６のコ型幅を狭めた例を示し、図５（ｃ）は取っ手６のコ型両片の長さを短くした例を示し、図５（ｄ）は取っ手６のコ型幅とコ型両片とをそれぞれ短くした例を示している。
【００３２】
また、図５（ｄ）のように取っ手６の回動アームＨの長さＨ１を短くした場合であっても、該回動アームＨの長さＨ１は、他方の短辺長さＨ２よりも長い位置関係にある。このため、回動アームＨが箱正面１０側に回動しても箱上面１３の実装面上に留まるが、回動アームＨが箱背面１２側に回動したときは、回動アームＨの長さＨ１が他方の短辺長さＨ２より長いため、取っ手６の最も外側に位置する把持部６ｂが箱背面１２側よりも外方に突出する。
【００３３】
なお、取っ手６の不使用時には、取っ手６を傾倒位置Ａに倒しておくのが好ましいため、取っ手６が自動的に傾倒位置Ａに傾倒されて納まるよう、取っ手６にバネなどの弾性体を取り付けてもよい。
【００３４】
さらに、コ型凹部７の深さは、該コ型凹部７に取っ手６が傾倒した傾倒位置Ａで箱上面１３の上面高さと、取っ手６の傾倒した上面高さとが略同高さになる凹部深さに形成されている。これにより、取っ手６は箱上面１３より突出しなくなり、収納箱１の実装面内に取っ手６を格納させて傾倒させることができる。なお、収納箱１が引出ユニット１４に収納されている場合は、取っ手６が傾倒位置Ａにあって、機内の搬送部材等とは干渉しない。
【００３５】
前記起立位置Ｂは、箱上面１３に取っ手６を垂直に起立させた位置であり、この起立位置Ｂで係員が取っ手６を手提げ状態に掴んで持ち運ぶものである。この起立位置Ｂにおいて、取っ手６は収納箱１の重心位置上に立ち上がる。よって、係員が取っ手６を掴んで収納箱１を持ち上げた際に、収納箱１が持ち運ばれる姿勢は真っ直ぐでバランスがとれているため、垂直な姿勢を維持して傾かなくなり、収納箱１の安全な運搬を確保できる。
【００３６】
前記傾斜位置Ｃは、取っ手６の回動終端部となる傾斜角度を位置決めする位置であり、２個の収納箱１を片手で一括して持ち運ぶ場合、そのときの片方の取っ手６（図６では左側の取っ手に該当する）に対応して係止させる位置である。この傾斜位置Ｃは位置決め手段としての傾斜係止面１３ａにより形成される。
【００３７】
前記傾斜係止面１３ａは、箱上面１３の背面側寄りで、取っ手６のコ型両片に係止対応する回動支持部６ａ近傍の位置に傾斜突出して形成している。この傾斜係止面１３ａの傾斜角度は、図６にも示すように、２個の収納箱１を並列配置した時に、両側の取っ手６の把持部６ｂが山形ブリッジ状に互いに突き合わすことができる傾斜角度に設定している。
【００３８】
具体的には、図６において並列配置された収納箱１のうち、左側の収納箱１の取っ手６が箱背面１２側に向けて大きく左回動方向に回動し、この回動した取っ手６のコ型両片が傾斜係止面１３ａに当接して回動規制されることで傾斜位置Ｃに位置決め係止される。この傾斜位置Ｃに位置決めされた取っ手６の把持部６ｂに対し、図６において、右側の収納箱１の取っ手６の把持部６ｂを傾倒位置Ａから右回動方向に回動させて、若干立ち上がった傾斜位置の時点で互いに把持部６ｂ同士が山形ブリッジ状に突き合わさった傾斜姿勢で対向するとともに、山形ブリッジ状の下方には一括把持に適した持ち手用空間Ｆが形成される。
【００３９】
このとき、両側の把持部６ｂの回動軌跡Ｄが当接する位置で、互いに回動する該両側の把持部６ｂが、ある一点で突き合わさった状態に当接する。このため、両側の取っ手６の一括把持位置が特定される。この一括把持位置では、両側の回動支持部６ａが突き合わさった一か所の部分で並列状態に揃い、２個の収納箱１を片手で一括して持ち運ぶことが可能になる。
【００４０】
さらに、一括把持位置で突き合わさる両把持部６ｂの当接面が垂直面で突き合わさるように、把持部６ｂの外表面を逆Ｖ字形状に突出して形成し、その逆Ｖ字形状の片側の傾斜面同士が当接時に垂直に平面対接する平面対接面６ｃとなる。この平面対接面６ｃを形成することにより、両取っ手６の把持部６ｂが対向したときは、互いの平面対接面６ｃが平面対接して両取っ手６による山形ブリッジ及び持ち手用空間Ｆを容易に形成し、またその状態を安定して維持することができる。
【００４１】
さらに、一括把持位置は、取っ手６が収納箱１の重心位置上に取り付けられているため、両側の収納箱１の中間位置で一括把持する場合であっても、該一括把持位置では２個の収納箱の重心位置上になり、安定した持ち運びが可能になる。
【００４２】
図７（ａ）にも示すように、縦型の収納構造を有する引出ユニット１４に収納される各収納箱１は、同じ向きになるよう並列して収納されている。このため、引出ユニット１４から外方に取り出される収納箱１、あるいは引出ユニット１４へと収納される収納箱１は、着脱姿勢を変えることなく、そのままの姿勢で収納箱１を着脱操作することができる。また、着脱姿勢を変えることなく、そのままの並列姿勢で２個の収納箱１を一括して着脱することができ、また２個の収納箱１を一括して運搬することができる。
【００４３】
図７（ｂ）では収納箱１の着脱操作をより一層高めた構成例を示している。まず、引出ユニット１４の収納箱１間を仕切る仕切板１４ａの高さを低くして設置する。該仕切板１４ａの高さを低くしたことにより、該仕切板１４ａの上方では遮るものがなくなり、両収納箱１の上部で対向する垂直な箱正面１０と箱背面１２とを平面対接させて安定した並列状態を保つことができる。
【００４４】
具体的には、収納箱１の中間高さ程度の仕切板１４ａを、引出ユニット１４の各収納箱１を区画する箱仕切位置１４ｂに設置し、該仕切板１４ａで並列する収納箱１の下部間を仕切るように設けている。一方、箱仕切位置１４ｂに仕切板１４ａが介在しない並列する収納箱１の上部間では、互いに対向する仕切方向の上部対向面１ａ同士が平面対接するように突出させて構成している。
【００４５】
この平面対接構造とすることにより、並列する収納箱１間での上部対向隙間が無くなり、２個の収納箱１が並列配置された状態では予め対面した収納状態となる。このため、２個の収納箱１を一体化した状態にして、そのままの姿勢で一括して着脱できる。また、対面させることで、２個一括での着脱がより安定する。
【００４６】
次に、このように構成された収納箱１を係員が着脱及び持ち運びする動作について説明する。  
金融機関等において、紙幣入出金機２１を運用して一日の業務が終了すると、該紙幣入出金機２１の機内に存在している紙幣５をすべて収納箱１に回収する。回収後は、各収納箱１を係員が紙幣入出金機２１から取り出す。
【００４７】
この収納箱１を取り出す場合、図２に示すように、紙幣入出金機２１の図示しない本体扉を開けて、例えば開放された開口部から引出ユニット１４を引き出す。この引き出された引出ユニット１４に収納されている収納箱１は、各取っ手６が傾倒位置Ａに傾倒した収納セット状態にある。
【００４８】
これらの収納箱１を収納している引出ユニット１４から片手で２個の収納箱１を一括して取り出す場合は、図６に示すように、まず、左側の収納箱１の取っ手６を右回動させて、傾倒位置Ａから起立させ、さらに起立位置Ｂを越えた傾斜位置Ｃに至ると、取っ手６は傾斜係止面１３ａに当接して位置決めされる。このとき、把持部６ｂは一括把持位置の傾斜角度で回動係止される。
【００４９】
続いて、右側の収納箱１の取っ手６を右回動させて、傾倒位置Ａから把持部６ｂを左側の取っ手６の把持部６ｂと対向する一括把持位置まで回動させて、両側より互いの把持部６ｂを山形ブリッジ状に突き合わせた状態に対向させる。このとき、互いの把持部６ｂの平面対接面６ｃが垂直に平面対接するので、両側の取っ手６は安定した山形ブリッジ状を維持する。また、その山形ブリッジ状の下方に手を入れ易い持ち手用空間Ｆが形成される。
【００５０】
これにより、係員は山形ブリッジ状に傾斜対向している両側の取っ手６の一括把持位置（両把持部６ｂ）を片手で掴んで一括して把持することができる。したがって、係員が２個の収納箱１を片手で掴んで引き上げることで、引出ユニット１４から収納箱１を２個ずつ取り出すことができる。
【００５１】
ここで、２個の収納箱１を片手で安定して取り出す条件を考察してみると、係員が取っ手６を持って収納箱１を持ち上げる場合、その取っ手６の回動支持部６ａの位置が収納箱１の重心Ｇに対応した位置に取り付けられていれば、収納箱１は傾かず、バランスのとれた垂直な姿勢を保って取り出すことが可能になる。
【００５２】
したがって、図６に示すように、２個の収納箱１を片手で一括して取り出す場合にあっても、両側の収納箱１は単独でそれぞれ回動支持部６ａの位置と重心Ｇの位置とが対応しているため両側の重心位置上からの把持部６ｂの両回動軌跡Ｄが当接する一点が一括把持位置となり、両側の把持部６ｂを突き合わせた山形ブリッジ状の一括把持位置を掴めば２個の収納箱１の重心がとれた位置からの取り出しとなる。
【００５３】
このように、収納箱１の重心Ｇに対応した位置の回動支持部６ａは、箱上面１３の中央ではなく、収納繰出口３側に寄って変位しているため、この回動支持部６ａを支点とする把持部６ｂの回動軌跡Ｄは箱背面１２の外方に向けてさらに回動させることができる。つまり、並列する２個の収納箱１の重心位置が変位していても、その変位した２個の収納箱１の位置まで把持部６ｂを回動させることができるという取っ手６の長さ（回動アームＨの長さＨ１）を確保することが重要であり、この取っ手６の長さを十分に長くできることを可能にしたことにより、上述の条件を満たしたものである。
【００５４】
そして、収納箱１の持ち運び時には、取っ手６の長さが十分に足りているため、片手で両収納箱１を吊り下げても傾かない。つまり、取っ手長さ不足のために両収納箱１の上部が内向きに引っ張られて、両収納箱１の下部間が開くようなことが解消される。このため、両収納箱１を運んでも不安定に揺れることがなく、バランスがとれた垂直状態を保つことができる。さらに、片手で２個ずつ持てば、係員１人で最大４個の収納箱１を一度に持ち運ぶことができる。
【００５５】
さらに、係員は不安定な持ち運び姿勢を発生させる原因がないので、収納箱１が係員の足などに接触せず、また収納箱１を落下させたり、ぶつけたりするようなおそれもなくなる。さらに、取っ手６やその把持部６ｂは収納箱１の実装面内に納まるため、運搬時に取っ手６を障害物等にぶつけるおそれがなくなる。よって、内部機構が変形したり破損したりするおそれもなくなる。また、紙幣の積層状態が崩れ難くなるので、収納箱１を用いたその後の紙幣の入出金取引動作が安定する。さらに、収納箱１を保管する場合においても、収納箱１の上面に取っ手６が突出しないため箱上面１３に平面が得られ、山積みが可能になる。
【００５６】
さらに、両収納箱１を引出ユニット１４に収納する場合においても、同様に山形ブリッジ状の一括把持位置の把持部６ｂを片手で掴んで引出ユニット１４の開放された上方からそのまま垂直に下ろせば、両収納箱１は垂直な姿勢を維持し、傾かないので容易に両収納箱１を引出ユニット１４内に収納させることができる。
【００５７】
また、収納箱１を単独で着脱する場合や持ち運ぶ場合にあっても、収納箱１の重心に対応した把持部６ｂでの重心がとれているため、そのまま垂直に引き上げれば、傾かずに取り出すことができる。そして、持ち運ぶ場合も傾かず、安全で信頼性の高い安定した持ち運びができる。さらに、引出ユニット１４に収納する場合も、取っ手６を起立位置Ｂで掴んで引出ユニット１４内に真っ直ぐ下ろせば、そのままの姿勢で収納させることができる。よって、収納位置合わせに手間がかからず、また収納方向を変えるような操作も要せず、簡単に収納できる。
【００５８】
次に、両収納箱１の運搬時における収納繰出口３の保護を図った取っ手６の構成例を、図８を参照して説明する。  
両側の収納箱１を背面合わせし、そのとき取っ手６の把持部６ｂを箱背面１２の鉛直上まで傾斜した対称傾斜位置Ｅに係止されるように回動規制手段としての傾斜係止面１３ａを形成すれば、取っ手６は箱背面１２の鉛直上よりも箱背面１２の周部を越えて回動することはない。このため、箱背面１２同士を対面させると、両収納箱１の対接面上において両取っ手６の把持部６ｂを突き合わせた山形ブリッジ状の一括把持部を形成することができる。
【００５９】
前記両収納箱１の配設する向きを箱正面１０同士、または箱正面１０と箱背面１２を対面させても、両側の取っ手６の把持部６ｂは対向部間が非対称で離れているため、山形ブリッジ状を構成することができず、両把持部６ｂを片手で一括して持つことができない。
【００６０】
このため、片手で２個の収納箱１を一括して持つ場合は、必ず箱背面１２が対面した並列配置状態となる。つまり、把持部６ｂの回動軌跡Ｄが同高さの一点で当接するので係員は両側の把持部６ｂを一括して把持することができる。このように背面同士を対向させた配置構成では、箱背面１２側に位置する収納繰出口３同士が内向きに対向し、並列配置した収納箱１の内側になって保護された状態となり、収納繰出口３に備えられている櫛歯状の爪等が運搬中に外部の部材とぶつからず、外部の衝撃から保護した持ち運びができる。
【００６１】
さらに、２個の収納箱１を背面合わせした状態では、両側の取っ手６がそれぞれ適切な同じ角度で止まるため、把持し易い左右対称の山形ブリッジ状を形成する。さらに、両側より対向する把持部６ｂの互いの接触部分を平面的に密着するように対向させれば、両側の取っ手６が位置ずれしなくなり、両側の収納箱１を安定して対接させることができる。
【００６２】
ことに、係員が両側の取っ手６を回動させて山形ブリッジを構築しようとする場合、例えば左側の把持部６ｂが左側の傾斜係止面１３ａにより回動規制されて回動軌跡Ｄ上の一点で止まる。これに対向する右側の把持部６ｂも同様に右側の傾斜係止面１３ａにより回動規制されて回動軌跡Ｄ上の一点で止まる。これにより、両側の把持部６ｂは自ずと同じ傾斜角度で同じ高さ位置に対向して適切な一括把持位置にセットすることができる。
【００６３】
前記取っ手６の把持部６ｂの形状は、直棒形状のほかに、波形状に設けて把持し易くしてもよい。また、断面円柱形も考えられるが、断面円柱形では両側の把持部６ｂの接触部分が円弧面で接触して点接触になる。よって、より安定した状態で運搬するには、把持部６ｂ同士の互いが面接触で突き合わされるよう形成されているほうがよい。また、取っ手６の把持部６ｂ間に隙間がある構造としてもよいが、より安定した状態で運搬するには、把持部６ｂ同士を突き合わせて接触している構造が好ましい。
【００６４】
図９（ａ）は箱正面１０側に形成されている位置ずれ防止機構１５を示す収納箱１の外観斜視図、図９（ｂ）は箱背面１２側に形成されている位置ずれ防止機構１５を示す収納箱１の外観斜視図である。
【００６５】
前記位置ずれ防止機構１５は、収納箱１を並列配置した際に、互いに対向する収納箱１の箱正面１０と箱背面１２との対向面間において、位置ずれ防止用の一対の凹部１５ａと凸部１５ｂを箱正面１０と箱背面１２とに形成して、それぞれ嵌め合い可能な形状に設けたものである。図９においては、左右一対の凹部１５ａと凸部１５ｂを形成している。また、収納箱１の対向面に限らず、取っ手６の把持部６ｂ同士の対向面を凹凸対応させて設けてもよい。さらに、これらの凹部１５ａや凸部１５ｂは、四角、台形、円形などからなる凹凸を対応させる構成、Ｓ字溝やＶ字溝を対応させる構成、あるいはフック形状のような構成でもよい。このように、位置ずれ防止機構１５として、両収納箱１間における対接面の一部を凹凸形状に嵌合対応させることで、収納箱１同士を定位置に密着させて、より安定した結合状態を維持できるため、持ち運びがし易くなる。
【００６６】
図１０は薄型の取っ手６を用いて収納箱１の高さを低くするようコンパクト化を図った構成例を示している。前記薄型の取っ手６は、傾倒位置Ａにおいて取っ手６が水平に傾倒した状態で、該取っ手６を薄肉（図１０ではコ型両片の薄型化を示している）にして該取っ手６の介在スペースを縮小化している。これにより、収納箱１の高さを若干低くして収納箱１のコンパクト化を図っている。すなわち、取っ手６を薄肉にしている分だけ収納箱１内部の構造を上方に移動させて、収納空間を大きくとることができる。
【００６７】
図１１は取っ手６の各種の取り付け例を示している。図１１（ａ）は取っ手６を箱側面１１に取り付けた構成例である。この場合は、収納箱１の箱側面１１に位置する取っ手６を掴んで収納箱１を水平方向に進退させて、この水平方向より着脱する横型の収納構造の場合に適用することができる。また、横型の収納構造であっても収納箱１を並列配置した状態から、両側の取っ手６の把持部６ｂを山形ブリッジ状に突き合わせた状態に対向させれば、片手で一括して把持することができる。この場合も、片手で２個の収納箱１を着脱操作することができる。
【００６８】
図１１（ｂ）は横長の収納箱１の上面に取っ手６を有する場合を示し、収納箱１を横長の状態で使用される場合に適用することができる。この場合も同様に収納箱１を並列すれば、片手で２個の収納箱１を着脱操作及び運搬することができる。
【００６９】
以上説明したように、この発明の収納箱１を用いれば、係員が取っ手６を持って収納箱１を着脱する場合、その取っ手６の回動支持部６ａの位置が収納箱１の重心Ｇに対応した位置に取り付けられているため、収納箱１は傾かず、バランスのとれた垂直な姿勢を保って着脱することができる。したがって、２個の収納箱１を片手で一括して着脱する場合であっても、両側の収納箱１の各重心位置上からの把持部６ｂの両回動軌跡Ｄが当接する一点が一括把持位置となり、両側の把持部６ｂを突き合わせた山形ブリッジ状の一括把持位置を掴めば２個の収納箱１の重心がとれた位置からの一括した着脱操作ができる。このため、片手で２個の収納箱１を効率よく一括して着脱及び持ち運ぶことができる。その際に、収納箱１は吊支状態で重心がとれて傾かず、安全に着脱及び持ち運ぶことが可能になる。また、２個の収納箱運搬時には両手が塞がって不自由になることがなく、また最大４個まで一度に持ち運ぶことができる。
【符号の説明】
【００７０】
１…収納箱
３…収納繰出口
４…収納繰出機構
５…紙幣
６…取っ手
６ａ…回動支持部
６ｂ…把持部
１０…箱正面
１１…箱側面
１２…箱背面
１３…箱上面
１３ａ…傾斜係止面
１４…引出ユニット
１４ａ…仕切板
Ａ…傾倒位置
Ｂ…起立位置
Ｃ…傾斜位置
Ｄ…回動軌跡
Ｅ…対称傾斜位置
【図１】
2010211340.tif 000003
【図２】
2010211340.tif 000004
【図３】
2010211340.tif 000005
【図４】
2010211340.tif 000006
【図５】
2010211340.tif 000007
【図６】
2010211340.tif 000008
【図７】
2010211340.tif 000009
【図８】
2010211340.tif 000010
【図９】
2010211340.tif 000011
【図１０】
2010211340.tif 000012
【図１１】
2010211340.tif 000013